(57)【要約】改善したＥ−ＤＣＨスケジューリング方法、Ｅ−ＤＣＨのためのスケジューリング方法、伝送電力制限を用いたスケジューリング方法、Ｅ−ＤＣＨのための伝送電力制限と関連したシグナリング方法、及び伝送電力制限によるスケジューリングを使用する通信システムを提供する。移動端末におけるＥ−ＤＣＨのためのスケジューリング方法において、基地局から許容可能な伝送電力範囲を指示する情報を受信する段階と、前記許容可能な伝送電力範囲内で用いられるＴＦＣを選択し、前記基地局によって許容された各ＴＦＣのグループを更新する段階と、前記ＴＦＣのグループから選択された少なくとも一つのＴＦＣによって前記Ｅ−ＤＣＨを伝送する段階と、を含んでＥ−ＤＣＨのためのスケジューリング方法を構成する。
2007536783.tif 000002
【特許請求の範囲】
【請求項１】
移動端末におけるＥ−ＤＣＨ（Ｅｎｈａｎｃｅｄ  Ｄｅｄｉｃａｔｅｄ  Ｃｈａｎｎｅｌ）のためのスケジューリング方法において、
基地局から許容可能な伝送電力範囲を指示する情報を受信する段階と、
前記許容可能な伝送電力範囲内で用いられるＴＦＣ（Ｔｒａｎｓｐｏｒｔ  Ｆｏｒｍａｔ  Ｃｏｍｂｉｎａｔｉｏｎ）を選択し、前記基地局によって許容された各ＴＦＣのグループを更新する段階と、
前記ＴＦＣのグループから選択された少なくとも一つのＴＦＣによって前記Ｅ−ＤＣＨを伝送する段階と、を含むＥ−ＤＣＨのためのスケジューリング方法。
【請求項２】
前記情報は、
前記基地局によって許容された最大伝送電力値を含むことを特徴とする請求項１に記載のＥ−ＤＣＨのためのスケジューリング方法。
【請求項３】
前記許容可能な伝送電力は、
前記基地局によって各移動端末に伝送されたり、アップ／ダウン命令によって伝送されることを特徴とする請求項１に記載のＥ−ＤＣＨのためのスケジューリング方法。
【請求項４】
各端末における実際の伝送電力範囲は、
前記許容可能な伝送電力範囲より小さいことを特徴とする請求項１に記載のＥ−ＤＣＨのためのスケジューリング方法。
【請求項５】
前記各端末における実際の伝送電力範囲は、
前記許容可能な伝送電力範囲内にあることを特徴とする請求項４に記載のＥ−ＤＣＨのためのスケジューリング方法。
【請求項６】
前記許容可能な伝送電力範囲内で前記ＴＦＣを選択する段階は、
各端末のための基準伝送電力値を設定する段階と、
前記基準伝送電力値とスケジューリングされたパワー値との差に相応する伝送パワーオフセットを伝送する段階と、を含むことを特徴とする請求項１に記載のＥ−ＤＣＨのためのスケジューリング方法。
【請求項７】
アップリンクＤＰＣＣＨ（Ｄｅｄｉｃａｔｅｄ  Ｐｈｙｓｉｃａｌ  Ｃｏｎｔｒｏｌ  Ｃｈａｎｎｅｌ）の伝送電力は、基準伝送電力として用いられることを特徴とする請求項６に記載のＥ−ＤＣＨのためのスケジューリング方法。
【請求項８】
前記基準伝送電力値は、前記基地局の全ての端末における実際の伝送電力範囲に基づいて決定されることを特徴とする請求項６に記載のＥ−ＤＣＨのためのスケジューリング方法。
【請求項９】
前記基準伝送電力値は、前記基地局と前記移動端末との間の地理的な位置に基づいて、各移動端末ごとに異なるように設定されることを特徴とする請求項６に記載のＥ−ＤＣＨのためのスケジューリング方法。
【請求項１０】
前記基準伝送電力値は、前記基地局と各移動端末との間に予め設定されることを特徴とする請求項６に記載のＥ−ＤＣＨのためのスケジューリング方法。
【請求項１１】
前記伝送電力範囲に対し、各ＴＦＣの整列及びマッピング機能が行われることを特徴とする請求項１に記載のＥ−ＤＣＨのためのスケジューリング方法。
【請求項１２】
スケジューリング命令ごとに前記ＴＦＣグループが更新されることを特徴とする請求項１に記載のＥ−ＤＣＨのためのスケジューリング方法。
【請求項１３】
前記ＴＦＣのグループは、ＲＮＣ（Ｒａｄｉｏ  Ｎｅｔｗｏｒｋ  Ｃｏｎｔｒｏｌ）によって構成される各ＴＦＣのサブグループであることを特徴とする請求項１に記載のＥ−ＤＣＨのためのスケジューリング方法。
【請求項１４】
前記移動端末によって選択されたＴＦＣグループは、前記ＴＦＣグループのサブグループであることを特徴とする請求項１に記載のＥ−ＤＣＨのためのスケジューリング方法。
【請求項１５】
移動端末におけるＥ−ＤＣＨのための伝送電力制限のシグナリング方法において、
移動端末に対する伝送電力の全体範囲に関する情報を受信する段階と、
各移動端末のための基準伝送電力値を設定する段階と、
伝送電力オフセットに対するシグナリングを行う段階と、を含んでおり、
前記伝送電力オフセットは、前記基準伝送電力値とスケジューリングされたパワー値との間の差値であることを特徴とするＥ−ＤＣＨのための伝送電力制限のシグナリング方法。
【請求項１６】
前記伝送電力の全体範囲は、
前記移動端末に対する最大伝送電力値及び最小伝送電力値を含むことを特徴とする請求項１５に記載のＥ−ＤＣＨのためのスケジューリング方法。
【請求項１７】
各端末における実際の伝送電力範囲は、
前記伝送電力の前記全体範囲より小さいことを特徴とする請求項１６に記載のＥ−ＤＣＨのためのスケジューリング方法。
【請求項１８】
前記各端末における実際の伝送電力範囲は、
前記伝送電力の全体範囲内にあることを特徴とする請求項１６に記載のＥ−ＤＣＨのためのスケジューリング方法。
【請求項１９】
アップリンクＤＰＣＣＨ伝送電力は、基準電力として用いられることを特徴とする請求項１５に記載のＥ−ＤＣＨのためのスケジューリング方法。
【請求項２０】
前記基準伝送電力値は、基地局の全ての移動端末における実際の伝送電力範囲に基づいて決定されることを特徴とする請求項１５に記載のＥ−ＤＣＨのためのスケジューリング方法。
【請求項２１】
前記基準伝送電力値は、基地局と前記移動端末との間の地理的位置に基づいて、各移動端末ごとに異なるように設定されることを特徴とする請求項１５に記載のＥ−ＤＣＨのためのスケジューリング方法。
【請求項２２】
前記基準伝送電力値は、基地局と各移動端末との間に予め設定されることを特徴とする請求項１５に記載のＥ−ＤＣＨのためのスケジューリング方法。
【請求項２３】
Ｅ−ＤＣＨのためのスケジューリングが行われる移動通信システムにおいて、
基地局から許容可能な伝送電力範囲を指示する情報を受信し、
前記許容可能な伝送電力範囲内で用いられるＴＦＣを選択し、前記基地局によって許容された各ＴＦＣのグループを更新し、
前記ＴＦＣのグループから選択された少なくとも一つのＴＦＣによって前記Ｅ−ＤＣＨを伝送する移動端末を含むＥ−ＤＣＨのためのスケジューリングが行われる移動通信システム。
【請求項２４】
前記情報は、
前記基地局によって許容された最大伝送電力値を含むことを特徴とする請求項２３に記載のＥ−ＤＣＨのためのスケジューリングが行われる移動通信システム。
【請求項２５】
前記許容可能な伝送電力は、
前記基地局によって各移動端末に伝送されたり、アップ／ダウン命令によって伝送されることを特徴とする請求項２３に記載のＥ−ＤＣＨのためのスケジューリングが行われる移動通信システム。
【請求項２６】
前記許容可能な伝送電力範囲内で前記ＴＦＣを選択する段階は、
各端末のための基準伝送電力値を設定する段階と、
前記基準伝送電力値とスケジューリングされたパワー値との差に相応する伝送パワーオフセットを伝送する段階と、を含むことを特徴とする請求項２３に記載のＥ−ＤＣＨのためのスケジューリングが行われる移動通信システム。
【請求項２７】
アップリンクＤＰＣＣＨの伝送電力は、基準伝送電力として用いられることを特徴とする請求項２６に記載のＥ−ＤＣＨのためのスケジューリングが行われる移動通信システム。
【請求項２８】
前記基準伝送電力値は、前記基地局の全ての移動端末における実際の伝送電力範囲に基づいて決定されることを特徴とする請求項２６に記載のＥ−ＤＣＨのためのスケジューリングが行われる移動通信システム。
【請求項２９】
前記基準伝送電力値は、前記基地局と前記移動端末との間の地理的位置に基づいて、各移動端末ごとに異なるように設定されることを特徴とする請求項２６に記載のＥ−ＤＣＨのためのスケジューリングが行われる移動通信システム。
【請求項３０】
前記基準伝送電力値は、前記基地局と各移動端末との間に予め設定されることを特徴とする請求項２６に記載のＥ−ＤＣＨのためのスケジューリングが行われる移動通信システム。
【請求項３１】
前記伝送電力範囲に対し、各ＴＦＣの整列及びマッピング機能が行われることを特徴とする請求項２３に記載のＥ−ＤＣＨのためのスケジューリングが行われる移動通信システム。
【請求項３２】
スケジューリング命令ごとに前記ＴＦＣグループが更新されることを特徴とする請求項２３に記載のＥ−ＤＣＨのためのスケジューリングが行われる移動通信システム。
【請求項３３】
移動端末におけるＥ−ＤＣＨのためのスケジューリング方法において、
基地局から許容可能な伝送電力範囲を指示する情報を受信する段階と、
前記許容可能な伝送電力範囲内で用いられる少なくとも一つのＴＦＣを選択する段階と、
前記選択された少なくとも一つのＴＦＣグループから選択された少なくとも一つのＴＦＣによって前記Ｅ−ＤＣＨを伝送する段階と、を含んでおり、
前記許容可能な伝送電力範囲内で前記ＴＦＣを選択する段階は、
各端末のための基準伝送電力値を設定する段階と、
前記基準伝送電力値とスケジューリングされたパワー値との差に相応する伝送パワーオフセットを伝送する段階と、を含むことを特徴とする移動端末におけるＥ−ＤＣＨのためのスケジューリング方法。
【発明の詳細な説明】
【技術分野】
【０００１】
本発明は、スケジューリング方法に関するもので、より具体的に、Ｅ−ＤＣＨ  （Ｅｎｈａｎｃｅｄ  Ｄｅｄｉｃａｔｅｄ  Ｃｈａｎｎｅｌ）のスケジューリング方法に関するものである。本発明は、多様な技術分野に適用可能であり、以下、本発明が適用される多様な技術分野の一つであるアップリンクスケジューリング技法及びレート調節機能に関して説明する。
【背景技術】
【０００２】
従来の非同期式規格である３ＧＰＰの多様なバージョンであるリリース９９（ｒｅｌｅａｓｅ−９９）、リリース４（Ｒｅｌ−４）、リリース５（Ｒｅｌ−５）のシステムによると、無線ネットワーク制御器（Ｒａｄｉｏ  Ｎｅｔｗｏｒｋ  Ｃｏｎｔｒｏｌ：以下、‘ＲＮＣ’という）は、アップリンクスケジューリング及びレート調節機能を行う。より具体的に、前記ＲＮＣは、前記ＲＮＣによって構成されるＴＦＣ（Ｔｒａｎｓｐｏｒｔ  Ｆｏｒｍａｔ  Ｃｏｍｂｉｎａｔｉｏｎ）サブセットから基地局（以下、‘Ｎｏｄｅ  Ｂ’という）に対するＴＦＣｓ（Ｔｒａｎｓｐｏｒｔ  Ｆｏｒｍａｔ  Ｃｏｍｂｉｎａｔｉｏｎｓ）サブセットを割り当てる。前記ＲＮＣによって構成されるＴＦＣサブセット、前記Ｎｏｄｅ  Ｂによって制御されるＴＦＣサブセット及び移動端末（以下、‘ＵＥ’または‘Ｕｓｅｒ  Ｅｑｕｉｐｍｅｎｔ’という）によって制御されるＴＦＣサブセットの関係を、図１に基づいて説明する。
【発明の開示】
【発明が解決しようとする課題】
【０００３】
しかしながら、Ｎｏｄｅ  Ｂに適用されるＴＦＣサブセットに関する制限には、次のような問題がある。すなわち、Ｎｏｄｅ  Ｂは、ＲＮＣを通して動作を行うので、アップリンクスケジューリングやレート調節機能を行うのに非効率的である。また、ＲＮＣは、ＴＦＣサブセットに関する制限を制御するので、送信における変化に対する応答時間が遅い。
【０００４】
本発明は、上述した従来の問題点を改善するためのもので、その目的は、改善したＥ−ＤＣＨスケジューリング方法を提案することにある。
【０００５】
本発明の他の目的は、Ｅ−ＤＣＨのためのスケジューリング方法を提案することにある。
【０００６】
本発明のさらに他の目的は、伝送電力制限を用いたスケジューリング方法を提案することにある。
【０００７】
本発明のさらに他の目的は、Ｅ−ＤＣＨのための伝送電力制限と関連したシグナリング方法を提案することにある。
【０００８】
本発明のさらに他の目的は、伝送電力制限によるスケジューリングを使用する通信システムを提案することにある。
【課題を解決するための手段】
【０００９】
上記目的を達成するための本発明に係るＥ−ＤＣＨのためのスケジューリング方法は、移動端末でＥ−ＤＣＨ（Ｅｎｈａｎｃｅｄ  Ｄｅｄｉｃａｔｅｄ  Ｃｈａｎｎｅｌ）のためのスケジューリング方法において、基地局から許容可能な伝送電力範囲を指示する情報を受信する段階と、前記許容可能な伝送電力範囲内で用いられるＴＦＣ（Ｔｒａｎｓｐｏｒｔ  Ｆｏｒｍａｔ  Ｃｏｍｂｉｎａｔｉｏｎ）を選択し、前記基地局によって許容された各ＴＦＣのグループを更新する段階と、前記ＴＦＣのグループから選択された少なくとも一つのＴＦＣによって前記Ｅ−ＤＣＨを伝送する段階と、を含むことを特徴とする。
【００１０】
本発明の他の一様相によって、本発明は、移動端末でＥ−ＤＣＨのための伝送電力制限のシグナリング方法において、移動端末に対する伝送電力の全体範囲に関する情報を受信する段階と、各移動端末のための基準伝送電力値を設定する段階と、伝送電力オフセットに対するシグナリングを行う段階と、を含んでおり、前記伝送電力オフセットは、前記基準伝送電力値とスケジューリングされたパワー値との間の差値であることを特徴とする。
【００１１】
本発明のさらに他の一様相によって、本発明は、Ｅ−ＤＣＨのためのスケジューリングが行われる移動通信システムにおいて、基地局から許容可能な伝送電力範囲を指示する情報を受信し、前記許容可能な伝送電力範囲内で用いられるＴＦＣを選択し、前記基地局によって許容された各ＴＦＣのグループを更新し、前記ＴＦＣのグループから選択された少なくとも一つのＴＦＣによって前記Ｅ−ＤＣＨを伝送する段階を行う移動端末を含む。
【００１２】
本発明のさらに他の一様相によって、本発明は、移動端末におけるＥ−ＤＣＨのためのスケジューリング方法において、基地局から許容可能な伝送電力範囲を指示する情報を受信する段階と、前記許容可能な伝送電力範囲内で用いられる少なくとも一つのＴＦＣを選択する段階と、前記選択された少なくとも一つのＴＦＣグループから選択された少なくとも一つのＴＦＣによって前記Ｅ−ＤＣＨを伝送する段階と、を含んでおり、前記許容可能な伝送電力範囲内で前記ＴＦＣを選択することは、各端末のための基準伝送電力値を設定し、前記基準伝送電力値とスケジューリングされたパワー値との差に相応する伝送パワーオフセットを伝送することを含むことを特徴とする。
【発明の効果】
【００１３】
本発明によると、改善したＥ−ＤＣＨスケジューリング方法、Ｅ−ＤＣＨのためのスケジューリング方法、伝送電力制限を用いたスケジューリング方法、Ｅ−ＤＣＨのための伝送電力制限と関連したシグナリング方法、及び伝送電力制限によるスケジューリングを使用する通信システムを提供することができる。
【発明を実施するための最良の形態】
【００１４】
本発明の構成、動作及び効果は、以下の本発明の一実施形態によって一層具体化されるだろう。以下、添付の図面に基づいて、本発明の一実施形態を説明する。
【００１５】
伝送における変化に対する迅速な応答及び効率性を増加させるために、ＲＮＣによって行われる各機能がＮｏｄｅ  Ｂに提供される。すなわち、Ｎｏｄｅ  Ｂは、前記リリース９９、リリース４、リリース５によるシステムのＲＮＣ機能に相応する機能を行う能力を備えている。また、Ｎｏｄｅ  Ｂは、ＲＮＣによって制御されるアップリンクスケジューリング及びレート調節機能と比較して、アップリンク負荷機能に対して一層迅速に応答することができる。また、Ｎｏｄｅ  Ｂで行われるアップリンクスケジューリング及びレート調節機能において、一層正確にアップリンク干渉を制御することができ、収容能力及びサービスカバレッジを増加させることができる。また、Ｎｏｄｅ  Ｂは、ＲＮＣに比べて一層迅速な応答時間を提供し、一層効率的なアップリンク伝送電力制御を可能にし、高い伝送速度を可能にする。
【００１６】
Ｅ−ＤＣＨと関連してＮｏｄｅ  Ｂによって制御されるアップリンクスケジューリング方法は、２種類に区分される。上述したように、基地局という用語は、Ｎｏｄｅ  Ｂとして用いられる。第一の方法は、高速ＴＦＣサブセット制限と共に行われるレートスケジューリング、ＴＦＣサブセット制限と共に行われる時間及びレートスケジューリングを含むＴＦＣサブセット制限と関連している。また、第二の方法は、伝送電力制限を用いてＮｏｄｅ  Ｂによって制御されるスケジューリングと関連している。
【００１７】
上述した方法、すなわち、高速ＴＦＣサブセット制限を用いてＮｏｄｅ  Ｂによって制御されるレート調節スケジューリングは、新しい制限の付与を通して移動端末のＴＦＣ選択アルゴリズムを制御する。ＵＥの立場からみると、このようなレートスケジューリング方法は、ＴＦＣ選択アルゴリズムのために物理階層で制御信号を使用する点を除けば、リリース９９／リリース−４／リリース−５システムで具現された方法に対応する。また、ＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の立場からみると、このようなレートスケジューリング機能は、Ｎｏｄｅ  Ｂに追加された機能である。Ｎｏｄｅ  Ｂに追加された機能と関連した機能は、ＲＲＣ手順（Ｒａｄｉｏ  Ｒｅｓｏｕｒｃｅ  Ｃｏｎｔｒｏｌ  Ｐｒｏｃｅｄｕｒｅ）とＴＦＣ制御を通してＮｏｄｅ  Ｂに適用される。Ｎｏｄｅ  Ｂは、ＴＦＣサブセット制限を制御するので、Ｎｏｄｅ  Ｂは、アップリンク伝送負荷の変化に迅速に対応することができる。
【００１８】
上述したＴＦＣ選択アルゴリズム―Ｎｏｄｅ  Ｂによって許容されるＴＦＣサブセット及びＵＥによって許容されるＴＦＣサブセット―に適用される二つのサブセットカテゴリーがある。ＲＮＣによって割り当てられるＴＦＣサブセットと関連し、上述したＮｏｄｅ  Ｂが許容するＴＦＣサブセット及びＵＥが許容するＴＦＣサブセットの関係は、図１に示している。図１のＴＦＣサブセットの動作は、以下の通りである。Ｎｏｄｅ  Ｂが端末のためのＴＦＣサブセットを決定すると、決定されたサブセットは、“ＵＥによって許容されたＴＦＣサブセット（ＵＥ  ａｌｌｏｗｅｄ  ＴＦＣ  ｓｕｂｓｅｔ）”に表示される。また、ＲＮＣがＮｏｄｅ  ＢにＴＦＣサブセットを割り当てることに決定すると、決定されたサブセットは、“Ｎｏｄｅ  Ｂによって許容されたＴＦＣサブセット（Ｎｏｄｅ  Ｂ  ａｌｌｏｗｅｄ  ＴＦＣ  ｓｕｂｓｅｔ）”に表示される。このようなＴＦＣサブセットの集まりは、各ＵＥのために決定される。
【００１９】
これら２種類のサブセットとともに、２種類のサブセットに適用される２個のＴＦＣポインタが存在する。前記２個のＴＦＣポインタは、図２に示している。２個のＴＦＣポインタのうち一つは、Ｎｏｄｅ  Ｂポインタであり、ＲＮＣによってＮｏｄｅ  Ｂに割り当てられる。Ｎｏｄｅ  Ｂポインタは、Ｎｏｄｅ  Ｂによって用いられる最大電力水準を有するＴＦＣサブセットを指示する。他の一つのＴＦＣポインタは、ＵＥポインタであり、Ｎｏｄｅ  ＢによってＵＥにアップ／ダウンを指示する。ＵＥポインタは、指定されたＴＦＣサブセットに到達するまで異なったＴＦＣサブセットを経る。一つ留意すべき点として、ＵＥポインタは、Ｎｏｄｅ  Ｂポインタによって指示されるＴＦＣサブセットを超えられない。
【００２０】
ＴＦＣサブセット制限とともに、Ｎｏｄｅ  Ｂによって制御される時間及びレートスケジューリング方法は、端末にあるＴＦＣサブセットに対するＮｏｄｅ  Ｂ制御の許容と関連し、物理階層シグナリングに基づく伝送時間の許容と関連する。高速ＴＦＣサブセット制限とともに行われるレートスケジューリングとこのような方法との差は、ＵＥが物理階層でのＴＦＣ選択に関する追加制御情報及び物理階層での伝送時間に関する制御情報と関連した割当をＮｏｄｅ  Ｂから受信することにある。ＵＴＲＡＮの立場からみると、Ｎｏｄｅ  Ｂは、ＴＦＣサブセットポインタ及び伝送時間制御と関連した機能を提供してきた。また、ＲＮＣ及びＮｏｄｅ  ＢによるＵＥのＴＦＣサブセット及び伝送時間に関する制御を通して、ＵＴＲＡＮは、アップリンク伝送負荷の変化を制御することができる。一層具体的に、前記ポインタによる持続的なアップ／ダウン制御を通してＵＥのＴＦＣサブセットを制御することと異なって、前記ＵＥは、特定の時間にどれほど多くのデータが伝送されたかに関する情報をＮｏｄｅ  Ｂに提供するためにＴＦＣサブセットポインタを伝送する。
【００２１】
ＴＦＣサブセット制限方法において、Ｎｏｄｅ  Ｂは、許容されたＴＦＣサブセット内で最大伝送電力のＴＦＣのインデックスを伝送したり、前記許容されたＴＦＣサブセットをＵＥに知らせるために前記インデックスのためのアップ／ダウン命令を伝送する。これら二つの場合、ＵＥは、伝送電力ドメイン上で可能なＴＦＣ全部を指示し、このような指示は、Ｎｏｄｅ  Ｂによって制御されるＴＦＣの伝送電力を超えない伝送電力を有するＥ−ＤＣＨデータを伝送するために許容される。
【００２２】
Ｅ−ＤＣＨのための多数の伝送チャネルのスケジューリングと関連し、多数の伝送チャネルがＥ−ＤＣＨに割り当てられたとき、可能なＴＦＣの個数を増加させる前記伝送チャネルの多様なＴＦＣが存在する。各ＴＦＣに要求される伝送電力水準がそれほど異なっていない場合も、全てのＴＦＣは、別途にインデックスを受ける。また、Ｎｏｄｅ  Ｂは、ＴＦＣ制限による時間及びレートスケジュールに備えて、ＴＦＣ制限のためのインデックスを伝送すべきである。
【００２３】
また、ＨＡＲＱ（Ｈｙｂｒｉｄ  Ａｕｔｏｍａｔｉｃ  Ｒｅｐｅａｔ  Ｒｅｑｕｅｓｔ）再伝送技法によるスケジューリングと関連し、最初に伝送されるＴＦＣと再伝送されるＴＦＣとが同一である場合も、Ｅ−ＤＣＨパケットの再伝送のために要求される伝送電力は異なっている。最初に伝送される場合と再伝送される場合の伝送電力差を支援するために、ＵＥは、最初伝送と再伝送との間に要求される伝送電力に適用される、ＴＦＣのマッピングにおける異なった規則を適用する。上記のような目的で、ＴＦＣサブセット制限は、ＵＥ側での直接的なＴＦＣ制限より、伝送電力制限として再解析されるＮｏｄｅ  Ｂによって決められる。しかし、Ｎｏｄｅ  Ｂが伝送電力に対する制限を直接作る場合、ＵＥは、最初伝送及び再伝送の全てのためのＮｏｄｅ  Ｂスケジューリング命令を解析する共通規則を使用することができる。
【００２４】
ＴＦＣサブセット制限の不利益を考慮すると、伝送電力方法による直接的な制限は、一層効率的でかつ簡単なスケジューリングに用いられる。Ｎｏｄｅ  Ｂによるアップリンクスケジューリング方法と関連し、伝送電力制限を用いてＮｏｄｅ  Ｂによって制御されるスケジューリングが存在する。伝送電力制限を用いてＮｏｄｅ  Ｂによって制御されるスケジューリングの主な目的は、実時間でアップリンク伝送電力をスケジュールし、一層効率的にアップリンク干渉を制御することにある。したがって、各ＵＥの直接的なアップリンク伝送電力のスケジューリングは、Ｎｏｄｅ  Ｂスケジューリングの簡単な方法であると同時に、多数のスケジューリングを簡単にする方法でもある。
【００２５】
伝送電力制限を用いてＮｏｄｅ  Ｂによって制御されるスケジューリング方法において、Ｎｏｄｅ  Ｂは、各ＵＥに最大伝送電力を許容する信号を伝送したり、アップ／ダウン命令を伝送する。図３は、Ｎｏｄｅ  Ｂによって制御される伝送電力制限の具現方法を説明する。ここで、ＵＥは、Ｎｏｄｅ  Ｂによって許容された伝送電力範囲内で伝送されるＴＦＣを選択し、全てのスケジューリング命令ごとにＮｏｄｅ  Ｂによって許容されるＴＦＣサブセットを更新することができる。その次に、前記ＵＥは、Ｎｏｄｅ  Ｂによって許容されたサブセットに含まれた各ＴＦＣによって信号を伝送することができる。ＵＥは、前記伝送電力と関連した各ＴＦＣに対する所定の整列機能やマッピング機能を利用することができる。
【００２６】
上述した二つの方法は、基本的なアルゴリズムが同一であるが、スケジューリング命令に関するシグナリング及び解析方法が異なるため、一般的に、前記伝送電力制限を用いた方法は、ＴＦＣサブセット制限を用いた方法と同一の目的を達成することができる。しかし、伝送電力制限を用いた方法は、ＴＦＣ設定（ＴＦＣ  ｃｏｎｆｉｇｕｒａｔｉｏｎ）に依存せずに、伝送電力のみに依存するため、ダウンリンクスケジューリング命令を簡単にすることができる。
【００２７】
ＴＦＣサブセット制限において、前記伝送電力制限のシグナリングのために、スケジューリング命令のための二つのシグナリング方法が考慮される。第一の方法は、許容された伝送電力水準に対する直接的なシグナリングであり、第二の方法は、従来の割当値からの差値またはオフセット値のシグナリングである。上述した二つのシグナリング方法の長所及び短所は、ＴＦＣサブセット制限によるＮｏｄｅ  Ｂのスケジューリングの長所及び短所と同一である。しかし、許容された伝送電力の直接的なシグナリングの場合、可能なＵＥ伝送電力の全ての領域に考慮されると、可能な伝送電力水準の個数が過度に多くなり、これによって、Ｎｏｄｅ  Ｂスケジューリングのためのシグナリングのビット個数が大きくなる。現実的に、与えられたＵＥに要求される伝送電力の変化幅は遥かに小さく、各ＵＥの伝送電力での動作点は、地理的な位置またはＵＥの長期リンク利得（ｌｏｎｇ−ｔｅｒｍ  ｌｉｎｋ  ｇａｉｎ）によって変わる。
【００２８】
ＵＥに対する伝送電力の実際範囲は、一般的に、ＵＥによって支援される伝送電力の可能な全ての範囲より遥かに小さい。そのため、要求されるシグナリングの帯域幅を減少させる簡単な方法は、予め各ＵＥとＮｏｄｅ  Ｂとの間の共通基準電力を決定することである。その次に、前記基準電力とスケジューリングによる電力との間の差値に対するシグナリングを行う。前記基準電力値は、電力制限命令の効率的なシグナリングのために、各ＵＥごとに異なるように設定される。ＲＮＣは、各ＵＥの実際の伝送電力範囲を考慮して、これら値を概略的に定めることができる。または、各端末のアップリンクＤＰＣＣＨに対する伝送電力を前記基準電力として使用することができる。図４は、このような概念を示した図である。
【００２９】
最後に、ＴＦＣサブセット制限より、伝送電力制限によるスケジューリングは、ＨＡＱＲ技法のみならず、スケジューリング命令をも単純化させることができる。
【図面の簡単な説明】
【００３０】
【図１】ＲＮＣによって構成されるＴＦＣサブセット、前記Ｎｏｄｅ  Ｂによって制御されるＴＦＣサブセット及び移動端末（以下、‘ＵＥ’または‘Ｕｓｅｒ  Ｅｑｕｉｐｍｅｎｔ’という）によって制御されるＴＦＣサブセットの関係を説明する図である。
【図２】Ｎｏｄｅ  Ｂポインタ及びＵＥポインタを説明する図である。
【図３】ＵＥにおいて、Ｎｏｄｅ  Ｂによって制御される伝送電力制限の具現を説明する図である。
【図４】基準伝送電力に基づいた電力オフセットのシグナリングを説明する図である。
【図１】
2007536783.tif 000003
【図２】
2007536783.tif 000004
【図３】
2007536783.tif 000005
【図４】
2007536783.tif 000006
【国際調査報告】
2007536783.tif 000007
2007536783.tif 000008
2007536783.tif 000009